(57)【要約】【課題】  再生専用メディアとの互換性を保ちつつ、交替処理によるメディアの信頼性の向上をも適宜実現できるような情報記録再生装置を提供する。【解決手段】  代替領域を確保する旨の指示を検出したか否かに応じて、スペアエリアを選択的に確保する。ここで、代替領域を確保する旨の指示は、たとえば、ユーザが高信頼性モードで記録するか否かを直接選択して設定する方法等によってなされる。  第１の記録処理が開始されると、まず、未記録領域に対して第１のリードインを記録するための領域を確保した後、それに引き続く位置から第１のユーザデータが記録される。記録データの再生確認時に再生不良が検知されると、図６（Ｂ）に示すように追記型ディスクの外周部に第１のスペアエリアが確保され、交替対象データブロックが記録される。【選択図】    図６
2005135446.tif 000002
【特許請求の範囲】
【請求項１】
追記型記録媒体に対し情報を記録および再生する情報記録再生装置において、
前記記録媒体に情報を記録する記録手段と、
前記記録媒体から情報を再生する再生手段と、
前記記録手段によって記録された情報を前記再生手段によって再生したときの再生状態から当該記録の適否を判別する適否判別手段と、
代替領域を確保する旨の指示を検出する指示検出手段と、
前記適否判別手段によって記録が不適であると判別され、且つ、前記指示検出手段によって前記代替領域の確保指示が検出されたとき、代替領域を確保する代替領域確保手段と、
前記適否判別手段によって記録が不適であると判別され、且つ、前記指示検出手段によって前記代替領域の確保指示が検出されたとき、前記代替領域確保手段によって確保された代替領域に、前記記録が不適とされた情報を交替記録する記録制御手段とを備え、
前記代替領域確保手段は、再生専用記録媒体との間でフォーマット互換を維持できる領域に前記代替領域を確保する、
ことを特徴とする情報記録再生装置。
【請求項２】
請求項１において、
前記適否判別手段は、前記再生手段によって再生されるデータが再生不能である場合、および、前記再生手段によって再生されたデータに基準値以上のエラーが含まれている場合に、記録が不適であると判別する、
ことを特徴とする情報記録再生装置。
【請求項３】
追記型記録媒体に対し情報を記録および再生する情報記録再生装置において、
前記記録媒体に情報を記録する記録手段と、
前記記録媒体から情報を再生する再生手段と、
前記再生手段によって再生された情報に誤り訂正を施す誤り訂正手段と、
前記記録媒体に記録されている情報を前記再生手段によって再生したときの再生状態から当該記録の適否を判別する適否判別手段と、
代替領域を確保する旨の指示を検出する指示検出手段と、
前記適否判別手段によって記録が不適であると判別され、且つ、前記指示検出手段によって前記代替領域の確保指示が検出されたとき、代替領域を確保する代替領域確保手段と、
前記適否判別手段によって記録が不適であると判別され、且つ、前記指示検出手段によって前記代替領域の確保指示が検出されたとき、前記代替領域確保手段によって確保された代替領域に、前記記録が不適とされた情報を前記誤り訂正手段にて誤り訂正した情報を交替記録する記録制御手段とを備え、
前記代替領域確保手段は、再生専用記録媒体との間でフォーマット上の互換性を維持できる領域に前記代替領域を確保する、
ことを特徴とする情報記録再生装置。
【請求項４】
請求項３において、
前記適否判別手段は、前記再生手段によって再生された情報に基準値以上のエラーが含まれ、且つ、当該再生情報を前記誤り訂正手段にて誤り訂正可能な場合に、記録が不適であると判別する、
ことを特徴とする情報記録再生装置。
【請求項５】
請求項１ないし４の何れかにおいて、
前記代替領域確保手段は、新たに確保し、または、既に確保されている代替領域に対して前記交替記録が可能であるかを判別し、その結果、前記交替記録が可能でないとき、再生専用記録媒体との間でフォーマット上の互換性を維持できる領域に、新たに代替領域を確保する、
ことを特徴とする情報記録再生装置。
【請求項６】
請求項１ないし４の何れかにおいて、
前記追記型記録媒体上に複数の媒体構造が実現される場合、前記代替領域確保手段は、情前記媒体構造毎に代替領域を個別に確保する、
ことを特徴とする情報記録再生装置。
【請求項７】
請求項１ないし６の何れかにおいて、
前記代替領域確保手段は、前記記録媒体の空き容量と、記録すべき記録情報の容量とに基づいて、前記代替領域を確保可能であるかを判別し、確保可能である場合に代替領域を確保する、
ことを特徴とする情報記録再生装置。
【請求項８】
請求項１ないし７の何れかにおいて、
前記代替領域確保手段は、追記可能領域の終端側から、予め決められた容量ずつ段階的に、前記代替領域を確保する、
ことを特徴とする情報記録再生装置。
【請求項９】
請求項１ないし８の何れかにおいて、
前記記録制御手段は、前記代替領域に交替記録された交替元記録位置と交替先記録位置の相関を示す欠陥管理情報が、再生専用記録媒体との間でフォーマット上の互換性を維持できる領域に記録する、
ことを特徴とする情報記録再生装置。
【発明の詳細な説明】
【技術分野】
【０００１】
本発明は、情報記録再生装置に関し、特に、追記型光ディスクに情報を記録／再生する際に用いて好適なものである。
【背景技術】
【０００２】
現在の普及している記録メディア（光ディスク）は、ＣＤ−ＲＯＭやＤＶＤ−ＲＯＭなどの再生専用型メディアと、ＣＤ−ＲＷやＤＶＤ−ＲＷなどの書き換え型メディアと、ＣＤ−Ｒ、ＤＶＤ―Ｒ、ＤＶＤ＋Ｒなどの追記型メディアに大別できる。このうち、ＣＤ−ＲＷやＤＶＤ−ＲＷなどの書き換え型メディアは、交替領域を設けることによる高信頼性の確保や高記録密度による大容量化に特長があり、数千回程度の書き換えが可能である。また、ＣＤ−Ｒ、ＤＶＤ―Ｒ、ＤＶＤ＋Ｒなどの追記型メディアは、一度のみの書き込みしかできないが、その反面、書き替え型メディアに比べ安価であり、また、ＣＤ−ＲＯＭやＤＶＤ−ＲＯＭなどの再生専用型メディアと高い互換性が維持されているところに特長がある。
【０００３】
従来の追記型メディアは、再生専用型メディアとの完全な互換性を維持するために、交替領域を持てず、記録時におけるデータ書き込み失敗、ディスク欠損や経年変化によるデータ損失などが起きた場合には、記録エラーまたは再生エラーとなってしまい信頼性を損なうという点で問題があった。しかし、今後、追記型メディアの大容量化がさらに進み、メディアの単価が高価になれば、この信頼性の問題は大きな障害となる。
【０００４】
また、追記型メディアの用途として、データストレージやメディアのバックアップを考えた場合、追記型メディアのデータ容量を目一杯まで使い切ることは極めて稀であり、多くの場合、ある程度の余剰を残したまま追記型メディアを閉じる処理（ファイナライズ）がなされる。
【０００５】
そこで、以下に示す特許文献１では、追記型メディアの最外周に交替パケットエリアを設け、記録領域を浪費せずに交替処理を行う情報記録再生装置が実現されている。
【特許文献１】特開平１１−６６７５１
【発明の開示】
【発明が解決しようとする課題】
【０００６】
しかしながら、かかる情報再生装置においては、最外周部に必ず交替パケット領域を設けることを特徴としているため、追記型メディアの特長である再生専用型メディアとの完全互換性を維持できないという問題があった。すなわち、ディスク径が同じである場合には交替領域を設けることにより容量互換がなくなり、容量互換を維持するためには交替領域の容量に応じてディスク径を大きくするしかなく、完全な互換性を保てない。
【０００７】
そこで、本発明は、追記型メディアにおいて、再生専用型メディアとの高い互換性を維持できるように、選択可能な形で余剰領域に交替領域を設ける方法について提案し、再生専用メディアとの完全な互換性を保ちつつ、交替処理によるメディアの信頼性の向上をも適宜実現できるような情報記録再生装置を提供することを目的とする。
【課題を解決するための手段】
【０００８】
本発明は、追記型記録媒体に対し情報を記録および再生する情報記録再生装置において、代替領域を確保する旨の指示を検出したか否かに応じて、交替領域（スペアエリア）を選択的に確保するものである。ここで、代替領域を確保する旨の指示は、たとえば、ユーザが高信頼性モードで記録するか否かを直接選択して設定する方法、アプリケーションがメディアの残記録容量と転送データ容量から判断して自動的に設定する方法、または、アプリケーションがユーザに問い合わせた結果に基づき設定する方法、等によって指示される。
【０００９】
各請求項に係る発明の特徴は以下の通りである。
【００１０】
請求項１の発明は、追記型記録媒体に対し情報を記録および再生する情報記録再生装置において、前記記録媒体に情報を記録する記録手段と、前記記録媒体から情報を再生する再生手段と、前記記録手段によって記録された情報を前記再生手段によって再生したときの再生状態から当該記録の適否を判別する適否判別手段と、代替領域を確保する旨の指示を検出する指示検出手段と、前記適否判別手段によって記録が不適であると判別され、且つ、前記指示検出手段によって前記代替領域の確保指示が検出されたとき、代替領域を確保する代替領域確保手段と、前記適否判別手段によって記録が不適であると判別され、且つ、前記指示検出手段によって前記代替領域の確保指示が検出されたとき、前記代替領域確保手段によって確保された代替領域に、前記記録が不適とされた情報を交替記録する記録制御手段とを備え、前記代替領域確保手段は、再生専用記録媒体との間でフォーマット互換を維持できる領域に前記代替領域を確保することを特徴とする。
【００１１】
請求項２の発明は、請求項１に記載の情報記録再生装置において、前記適否判別手段は、前記再生手段によって再生されるデータが再生不能である場合、および、前記再生手段によって再生されたデータに基準値以上のエラーが含まれている場合に、記録が不適であると判別することを特徴とする。
【００１２】
請求項３の発明は、追記型記録媒体に対し情報を記録および再生する情報記録再生装置において、前記記録媒体に情報を記録する記録手段と、前記記録媒体から情報を再生する再生手段と、前記再生手段によって再生された情報に誤り訂正を施す誤り訂正手段と、前記記録媒体に記録されている情報を前記再生手段によって再生したときの再生状態から当該記録の適否を判別する適否判別手段と、代替領域を確保する旨の指示を検出する指示検出手段と、前記適否判別手段によって記録が不適であると判別され、且つ、前記指示検出手段によって前記代替領域の確保指示が検出されたとき、代替領域を確保する代替領域確保手段と、前記適否判別手段によって記録が不適であると判別され、且つ、前記指示検出手段によって前記代替領域の確保指示が検出されたとき、前記代替領域確保手段によって確保された代替領域に、前記記録が不適とされた情報を前記誤り訂正手段にて誤り訂正した情報を交替記録する記録制御手段とを備え、前記代替領域確保手段は、再生専用記録媒体との間でフォーマット上の互換性を維持できる領域に前記代替領域を確保することを特徴とする。
【００１３】
請求項４の発明は、請求項３に記載の情報記録再生装置おいて、前記適否判別手段は、前記再生手段によって再生された情報に基準値以上のエラーが含まれ、且つ、当該再生情報を前記誤り訂正手段にて誤り訂正可能な場合に、記録が不適であると判別することを特徴とする。
【００１４】
請求項５の発明は、請求項１ないし４の何れかに記載の情報記録再生装置において、前記代替領域確保手段は、新たに確保し、または、既に確保されている代替領域に対して前記交替記録が可能であるかを判別し、その結果、前記交替記録が可能でないとき、再生専用記録媒体との間でフォーマット上の互換性を維持できる領域に、新たに代替領域を確保することを特徴とする。
【００１５】
請求項６の発明は、請求項１ないし４の何れかにおいて、前記記録媒体上に複数の媒体構造が実現される場合、前記代替領域確保手段は、情前記媒体構造毎に代替領域を確保することを特徴とする。
【００１６】
請求項７の発明は、請求項１ないし６の何れかに記載の情報記録再生装置において、前記代替領域確保手段は、前記記録媒体の空き容量と、記録すべき記録情報の容量とに基づいて、前記代替領域を確保可能であるかを判別し、確保可能である場合に代替領域を確保することを特徴とする。
【００１７】
請求項８の発明は、請求項１ないし７の何れかに記載の情報記録再生装置において、前記代替領域確保手段は、追記可能領域の終端側から、予め決められた容量ずつ段階的に、前記代替領域を確保することを特徴とする。
【００１８】
請求項９の発明は、請求項１ないし８の何れかに記載の情報記録再生装置において、前記記録制御手段は、前記代替領域に交替記録された交替元記録位置と交替先記録位置の相関を示す欠陥管理情報が、再生専用記録媒体との間でフォーマット上の互換性を維持できる領域に記録することを特徴とする。
【００１９】
本発明の特徴は、以下に示す実施の形態の説明により更に明らかとなろう。
【００２０】
ただし、以下の実施の形態は、あくまでも、本発明の一つの実施形態であって、本発明ないし各構成要件の用語の意義は、以下の実施の形態に記載されたものに制限されるものではない。
【発明の効果】
【００２１】
本発明によれば、代替領域を確保する旨の指示を検出したか否かに応じて、再生専用記録媒体との間でフォーマット上の互換性を維持できる領域に、交替領域（スペアエリア）を選択的に確保するものであるものであるから、再生専用記録媒体との互換性を保ちつつ、交替処理によるメディアの信頼性の向上をも適宜実現することができる。
【００２２】
加えて、請求項７に記載のように、記録媒体の空き容量と、記録すべき記録情報の容量とに基づいて前記代替領域を確保可能であるかを判別し、確保可能な場合に代替領域に対する交替記録が行われるようにすれば、さらに、効率的かつ円滑なスペアエリアの確保を実現することができる。
【００２３】
さらに請求項８に記載のように、追記可能領域の終端側から、予め決められた容量ずつ段階的に、前記代替領域を確保するようにすれば、追記可能領域の使用効率をさらに向上させることができる。
【００２４】
その他、本発明にて奏される作用効果は、以下に示す実施の形態に説明にてより明瞭に理解されることとなろう。
【発明を実施するための最良の形態】
【００２５】
以下、本発明の実施の形態につき図面を参照して説明する。
【００２６】
まず、図１に追記型ディスクに情報を記録再生する記録再生装置の回路ブロック図を示す。
【００２７】
図示の如く、本実施の形態に係る記録再生装置は、ＥＣＣエンコーダ１０１と、変調回路１０２と、フォーマッタ１０３と、レーザ駆動回路１０４と、光ピックアップ１０５と、信号増幅器１０６と、サーボ回路１０７と、スピンドルモータ１０８と、ＰＬＬ１０９と、Ａ／Ｄ変換回路１１０と、イコライザ１１１と、ビタビ復号回路１１２と、アンフォーマッタ１１３と、復調回路１１４と、ＥＣＣデコーダ１１５と、コントローラ１２０を含んでいる。なお、同図中、１００は、追記型光ディスクである。
【００２８】
ＥＣＣエンコーダ１０１は、入力されたユーザデータにリードソロモン符号などによる誤り訂正符号を付加し、変調回路１０２へと出力する。変調回路１０２は、ＥＦＭ変調、ＥＦＭＰ変調、ＲＬＬ（１，７）変調など、記録データに対し最短または最長のデータ長に制限を加えるように、または低域周波数を抑圧しＤＣ成分の変動を抑えるように記録データおよび誤り訂正符号に対して変調を行う。フォーマッタ１０３は、変調された記録データを、コントローラ１２０からのタイミング信号に基づき、追記型ディスクの物理フォーマットに合う形に加工し、レーザ駆動回路１０４へと出力する。レーザ駆動回路１０４は、フォーマッタ１０３からの記録信号に基づき、追記型ディスクに最適な記録パワーでレーザを出射するよう光ピックアップ１０５を制御する。
【００２９】
光ピックアップ１０５により再生された信号は、信号増幅器１０６にて、増幅および演算される。サーボ回路１０７は、信号増幅器１０６からの信号に基づき、スピンドルモータ１０８の回転、光ピックアップ１０５のトラッキング機構、フォーカス機構を制御する。ＰＬＬ１０９は、信号増幅器１０６からの再生ＲＦ信号により再生データに同期したクロックを生成し、各回路へと出力する。Ａ／Ｄ変換回路１１０は、再生ＲＦ信号をＰＬＬ１０９からのクロックに同期して標本化することでアナログ信号からデジタルデータへの変換を行う。イコライザ１１１は、デジタルデータを所望の波形に等化し、ビタビ復号回路１１２へと出力する。ビタビ復号回路１１２は、ハミング距離の演算結果に基づき最も確からしいデータ列を選択し、２値データを出力する。アンフォーマッタ１１３は、コントローラ１２０からのタイミング信号に基づいて、フォーマッタ１０３で加工されたデータを取り除き、ユーザデータおよび該誤り訂正符号を抽出する。復調回路１１４は、変調回路１０２で変調されたデータを復調し、ＥＣＣデコーダ１１５に出力する。ＥＣＣデコーダ１１５は、誤り訂正符号によってユーザデータの誤り検出および誤り訂正を行い、訂正後のユーザデータを後段回路に出力する。
【００３０】
コントローラ１２０は、ＣＰＵやＭＰＵからの記録や再生などの各種コマンドを受けて、各種タイミング信号または制御信号を生成し、各部を制御する。なお、コントローラ１２０における記録／再生時の制御動作については追って詳述する。
【００３１】
図２は、追記型ディスクおよび再生専用型ディスクのディスクアロケーションを示す図である。なお、同図には、１枚のディスク上に仮想的に複数のディスク構造を実現した場合のディスクアロケーション（追記型ディスクにおけるマルチセッションまたはマルチボーダ（以下、マルチセッション）と呼ばれる）も同時に示してある。
【００３２】
図示の如く、再生専用型ディスクは、プログラムデータの始まりを示すリードインエリア、プログラムデータが格納されているプログラムエリアおよびプログラムエリアの終了を示すリードアウトにより構成される。
【００３３】
一方、追記型ディスクは、再生専用型ディスクと物理的にも論理的にも完全互換可能な形で、ユーザデータエリアの始まりを示すリードインエリア、ユーザデータの記録領域であるユーザデータエリアおよびユーザデータエリアの終りを示すリードアウトを確保可能な記録領域を備えている。また、記録または再生レーザパワーを決定するために使用するパワーキャリブレーションエリア（ＰＣＡ）と、記録条件や追記記録ポインタなど追記型メディアに特有の情報を記録可能なプログラムメモリエリア（ＰＭＡ）が、再生専用型ディスクのリードインエリア位置に先立って備えられている。
【００３４】
さらに、追記型ディスクのマルチセッションでは、リードイン、ユーザデータエリア、リードアウトを複数セット確保することにより、１枚のディスク上にあたかも複数のディスクが存在するように構成することが可能となる。
【００３５】
本実施の形態では、交替処理のＯＮ／ＯＦＦに応じて、別途、交替領域（スペアエリア）が確保される。そして、記録後のデータブロックに交替処理発動レベルのエラーが検出されたとき、当該データブロックのデータがスペアエリアに交替記録される。このとき、交替に関する情報、たとえば、交替元の記録位置と交替先の記録位置の相関関係を示す情報が、リードイン領域の空きエリア等、ディスク上の所定の領域に記録・更新される。
【００３６】
以下、かかる交替処理を含む記録再生時の動作について説明する。なお、以下の実施例では、記録動作時のみならず再生動作時においても、交替処理が実行される。
【実施例１】
【００３７】
図３に、第１の実施例における、情報記録再生装置の記録／再生動作時のフローチャートを示す。
【００３８】
追記型ディスクが挿入されると、まず、交替の有無や交替に関する情報を含む交替処理情報、または交替元と交替先の関係を記録した欠陥管理リスト情報の有無が確認される（Ｓ１０）。本実施例では、交替がある場合には、欠陥管理リスト情報がリードイン領域に記録される。したがって、Ｓ１０では、リードイン領域に欠陥管理リスト情報が記録されているかが確認される。Ｓ１０において、欠陥管理リスト情報が記録されていることが確認されると、Ｓ１１にて、これが取得される。その後、コントローラ１２０はコマンド受信待機状態となる（Ｓ１２）。
【００３９】
しかる後、コントローラ１２０が記録コマンドを受信すると（Ｓ１３）、交替処理情報または欠陥管理リスト情報の有無に応じて（Ｓ１４）、第１の記録処理（Ｓ１５）または第２の記録処理（Ｓ１６）が実行される（詳細は後述する）。そして、それぞれの記録処理が終了すると、コントローラ１２０に記録処理の終了が通知される（Ｓ２０）。
【００４０】
一方、コントローラ１２０が再生コマンドを受信すると（Ｓ１３）、交替処理情報または欠陥管理リスト情報の有無に応じて（Ｓ１７）、第１の再生処理（Ｓ１８）または第２の再生処理（Ｓ１９）が実行される（詳細は後述する）。そして、それぞれの再生処理が終了すると、コントローラ１２０に再生処理の終了が通知される（Ｓ２０）。
【００４１】
＜第１の記録処理＞
図４および図５は、上記図３における第１の記録処理（Ｓ１５）における動作フローチャートを示す図である。ここでは、記録時における記録失敗やディスク欠陥によるデータ損失を想定して、所定数のデータブロックを記録する毎に、記録の適否を確認するためのべリファイが行われることを前提としている。なお、かかるベリファイが行われない場合には、後述の再生処理において、記録データに対する再生確認および交替処理が行われることとなる。
【００４２】
図４を参照して、第１の記録処理が開始されると、コントローラ１２０は、まず、上位のアプリケーションに対してアプリケーション設定上の交替処理ＯＮ／ＯＦＦ情報を確認する（Ｓ１００）。ここで、交替処理ＯＮ／ＯＦＦ情報は、交替処理を行うか否かを示すフラグ情報であって、例えば、ユーザが高信頼性モードで記録するか否かを直接選択して設定する方法、アプリケーションがメディアの残記録容量と転送データ容量から判断して自動的に設定する方法、または、アプリケーションがユーザに問い合わせた結果に基づき設定する方法、等によって記録再生装置に設定されている。
【００４３】
次に、指定されたエリアに少なくとも１つのデータブロックを記録し（Ｓ１０１）、次いで、記録した各データブロックを再生して（Ｓ１０２）、各データブロックが再生不能であるか、または、再生データブロックのエラー量が所定のエラー量を超えたかの確認を行う（Ｓ１０３）。ここで、データブロックのエラー量は、例えばＥＣＣデコーダ１１５における誤り訂正符号の訂正フラグを参照して検出することができる。
【００４４】
Ｓ１０３の確認処理にて、当該データブロックの再生が良好であるとされた場合には、次に、記録した全データブロックに対する再生確認が終了したかを判別し（Ｓ１０７）、未確認のデータブロックがあれば、Ｓ１０２に戻り、次のデータブロックに対する再生確認を行う。
【００４５】
一方、Ｓ１０３の確認処理にて、当該データブロックの再生が不良であるとされた場合には、上記Ｓ１００にて交替処理ＯＮ／ＯＦＦ情報がＯＮ／ＯＦＦの何れとして確認されたかを判別し（Ｓ１０４）、交替処理ＯＮ／ＯＦＦ情報がＯＮの場合には、当該データブロックまたは当該データブロックを含む周辺データブロックを交替対象ブロックに指定する（Ｓ１０５）。そして、当該交替対象データブロックのデータアプリケーションまたは当該交替対象ブロックを示すためのポインタを記憶する。一方、交替処理ＯＮ／ＯＦＦ情報がＯＦＦの場合には、エラーコードを生成する（Ｓ１０６）。これらの手順を記録した全てのデータブロックの再生確認が完了するまで行う（Ｓ１０７）。なお、Ｓ１０６にて生成されたエラーコードは、たとえば、記録不良が生じたことをユーザに提示するために用いられる。
【００４６】
以上のようにして交替対象ブロックの指定がなされると、次に、図５に示すフローチャートに従って、交替処理が実行される。
【００４７】
コントローラ１２０は、まず、交替処理ＯＮ／ＯＦＦ情報と交替対象ブロックの有無を確認し（Ｓ１１０、Ｓ１１１）、交替処理ＯＮ／ＯＦＦ情報がＯＮで、かつ、交替対象ブロックが有りの場合に、交替対象ブロックを記録するための新たなスペアエリアを確保する（Ｓ１１２）。このとき、スペアアリアは、予め設定された記憶容量分だけ確保される。ただし、交替対象ブロックを記録できる容量以上に新たなスペアエリアを確保するようにしても良い。
【００４８】
次に、確保したスペアエリアの容量が交替対象ブロックを記録するに足るか否かを確認し（Ｓ１１３）、確保したスペアエリアの容量では足りなければ（Ｓ１１４：Ｎｏ）、追加のスペアエリアを確保する（Ｓ１１５）。一方、確保したスペアエリアの容量が足りていれば（Ｓ１１４：Ｙｅｓ）、確保したスペアエリアに交替対象ブロックを記録し（Ｓ１１６）、交替処理情報または欠陥管理リスト情報を記録して（Ｓ１１７）、第１の記録処理を終了する。
【００４９】
図６は、上記図４および図５にて説明した第１の記録処理を行った場合における追記型ディスク上のデータマッピングの一例を示す図である。ディスクには、同図（Ａ）に示すように、ＰＣＡおよびＰＭＡが内周に設けられている。追記型ディスクが未記録状態である場合には、交換処理情報または欠陥管理リスト情報が記録されていないため、第１の記録処理が行われる。以下、交替処理ＯＮ／ＯＦＦがＯＮである場合のマッピングについて説明する。
【００５０】
第１の記録処理が開始されると、まず、未記録領域に対して第１のリードインを記録するための領域を確保した後、それに引き続く位置から第１のユーザデータが記録される。上記の如く、記録データの再生確認時に再生不能または再生データブロックのエラー量が所定のエラー量を超えることが検知されると、図６（Ｂ）に示すように追記型ディスクの外周部に第１のスペアエリアが確保される。かかる第１のスペアエリアに交替対象データブロックを記録しつつ、第１のユーザデータの記録処理を完了する。
【００５１】
しかる後、ファイナライズ処理がなされると、図６（Ｃ）に示すように第１のリードイン情報および第１の欠陥管理リスト情報を含む情報が第１のリードイン領域に記録される。さらに、第１のユーザデータの記録終了位置に引き続いて第１のリードアウト領域が確保され、ここに第１のリードアウト情報が記録される。しかして、第１のリードイン情報と第１のリードアウト情報の記録がなされることにより、ファイナライズ処理が完了する。なお、欠陥管理リスト情報は、リードインまたはリードアウトの少なくとも一方に含まれていれば良く、またリードインおよびリードアウトの記録を行う順番は順不同であって良い。
【００５２】
＜第２の記録処理＞
図７を参照して、上記図３における第２の記録処理（Ｓ１６）における動作を説明する。なお、第２の記録処理のうち、交替対象ブロックを指定するまでの処理は、上記図４の動作フローと同じであるので図示省略し、交替処理のみを図７に示してある。また、図７における各ステップのうち、上記図５と同一ステップには同一符号を付してある。
【００５３】
なお、かかる第２の記録処理においても、上記第１の記録処理と同様、記録時における記録失敗やディスク欠陥によるデータ損失を想定して、所定数のデータブロックを記録する毎に、記録の適否を確認するためのべリファイが行われることを前提としている。かかるベリファイが行われない場合には、後述の再生処理において、記録データに対する再生確認および交替処理が行われることとなる。
【００５４】
第２の記録処理では、先の記録／再生処理において交替対象ブロックを記録するためのスペアエリアが既に確保されているため、Ｓ１１０およびＳ１１１にて、交替処理ＯＮ／ＯＦＦ情報がＯＮで、かつ、交替対象ブロックが有りとされた場合には、このスペアエリアの容量が交替対象ブロックを記録するに足るか否かを確認し（Ｓ１１３，Ｓ１１４）、ここで、スペアエリアの容量が足りなければ、追加のスペアエリアを新たに確保する（Ｓ１１５）。スペアエリアの容量が足りていれば、このスペアエリアに交替対象ブロックを記録し（Ｓ１１６）、交替処理情報または欠陥管理リスト情報を更新して（Ｓ１１７）、第２の記録処理を終了する。
【００５５】
図８は、第２の記録処理を行った場合における追記型ディスク上のデータマッピングの一例を示す図である。図８（Ａ）に示すように、ディスクにはＰＣＡおよびＰＭＡが内周に設けられており、先の記録／再生時の処理により、既に、第１のリードインエリア、第１のユーザデータエリア、第１のリードアウトエリアおよび第１のスペアエリアが確保されている。
【００５６】
かかる追記型ディスクに対し、マルチセッションにて、第２のユーザデータを記録する場合には、既に交換処理情報または欠陥管理リスト情報が記録されているため、第２の記録処理が行われる。以下、交替処理ＯＮ／ＯＦＦがＯＮである場合のデータマッピングについて説明を行う。
【００５７】
第２の記録処理が開始されると、まず、第１のリードアウト領域に引き続く位置に第２のリードインを記録するための領域を確保した後、それに引き続く位置から第２のユーザデータが記録される。上記の如く、記録データの再生確認時に再生不能または再生データブロックのエラー量が所定のエラー量を超えることが検知されると、上記の如く、第１のスペアエリアの容量が交替対象ブロックを記録するに足るか否かが確認され、第１のスペアエリアの容量では足りない場合には、図８（Ｂ）に示すように、追記型ディスクの外周部に、第２のスペアエリアが新たに確保される。そして、交替対象のデータブロックを第１または第２のスペアエリアに記録しつつ、第２のユーザデータの記録処理を完了する。
【００５８】
しかる後、ファイナライズ処理がなされると、図８（Ｃ）に示すように、第２のリードイン情報および第２の欠陥管理リスト情報を含む情報が第２のリードイン領域に記録される。さらに、第２のユーザデータの記録終了位置に引き続いて第２のリードアウト領域が確保され、ここに第２のリードアウト情報が記録される。しかして、第２のリードイン情報と第２のリードアウト情報の記録がなされることにより、ファイナライズ処理が完了する。なお、欠陥管理リスト情報は、リードインまたはリードアウトの少なくとも一方に含まれていれば良く、またリードインおよびリードアウトの記録を行う順番は順不同であって良い。
【００５９】
＜第１の再生処理＞
図９および図１０は、上記図３における第１の再生処理（Ｓ１８）における動作フローチャートを示す図である。なお、かかる第１の再生処理は、上記の如く、追記型ディスクに交替処理情報または欠陥管理リスト情報が未だ記録されていない場合に実行されるものである。かかる第１の再生処理においては、データ再生のみならず、既記録データの交替処理も実行される。
【００６０】
図９を参照して、第１の再生処理が開始されると、まず、コントローラ１２０は、上位のアプリケーションに対してアプリケーション設定上の交替処理ＯＮ／ＯＦＦ情報を確認する（Ｓ２００）。次に、指定されたエリアの各データブロックを順次再生し（Ｓ２０１）、後段回路に再生データを出力する。かかる再生の際、同時に、各データブロックのエラー量が所定のエラー量を超えたかの確認を行い（Ｓ２０２）、所定のエラー量を超えていれば、交替処理情報のＯＮ／ＯＦＦに応じて、交替対象ブロックの登録処理およびスペアエリアに対する交替記録処理を実行する。
【００６１】
なお、Ｓ２０３〜Ｓ２０６における交替対象ブロックの指定処理、および、図１０のＳ２１０〜Ｓ２１７における交替記録処理は、上記第１の記録処理において示した図４のＳ１０４〜Ｓ１０７における交替対象ブロックの指定処理、および、図５のＳ１１０〜Ｓ１１７における交替記録処理と同じである。したがって、かかる第１の再生処理における交替記録では、上記図６において示したと同様、再生時に不良データブロックが検知されると、第１のスペアエリアが確保され、この第１のスペアエリアに適正データ（不良データブロックのデータを誤り訂正したもの）が交替記録されることとなる。
【００６２】
なお、図９のＳ２０２では、各データブロックのエラー量が所定のエラー量を超えている場合であっても、誤り訂正が不可能な程度までエラー量が大きい場合には、その判別結果が“Ｎｏ”とされる。これは、誤り訂正が不可能な場合には、スペアエリアに交替記録すべきデータを、誤り訂正によって得ることができないことによるものである。すなわち、図１０のＳ２１６では、交替処理対象データブロックのデータを誤り訂正することで適正データを復元し、これをスペアエリアに記録する処理が行われるが、誤り訂正が不可能な場合には、スペアエリアに記録すべき適正なデータを復元することができないため、交替記録を行うことができない。よって、図９のＳ２０２では、データブロックのエラー量が所定のエラー量を超えている場合であっても、誤り訂正が不可能な程度までエラー量が大きい場合には、交替処理発動レベルを検知しないとして処理される。
【００６３】
＜第２の再生処理＞
図１１および図１２は、上記図３における第２の再生処理（Ｓ１９）における動作フローチャートを示す図である。
【００６４】
なお、かかる第２の再生処理は、既に、交替処理情報または欠陥管理リスト情報が追記型ディスクに記録されている場合に実行されるものである。したがって、図１１のフローチャートは、上記図９のフローチャートに比べ、再生対象のデータブロックがスペアエリアに交替されているか否かを判別するステップ（Ｓ２２１）と、交替されている場合に、対応するスペアエリアを再生するステップ（Ｓ２２２）が追加されている。その他の処理（Ｓ２０１〜Ｓ２０６）は、上記図９における処理と同じである。
【００６５】
また、図１２のＳ２１０〜Ｓ２１７における交替記録処理は、上記第２の記録処理において示した図７のＳ１１０〜Ｓ１１７における交替記録処理と同じである。したがって、かかる第２の再生処理における交替記録では、上記図８において示したと同様、再生時に不良データブロックが検知されると、第１のスペアエリアに適正データ（不良データブロックのデータを誤り訂正したもの）が交替記録され、第１のスペアエリアの容量が足りない場合には、第２のスペアエリアが新たに確保されて、第１のスペアエリアおよび第２のスペアエリアに、不良データブロックに対する適正データが交替記録される。
【００６６】
以上、本実施例によれば、交替処理ＯＮ／ＯＦＦ情報をＯＦＦに設定した場合には、追記型ディスク上のデータマッピングを再生専用ディスクのデータマッピングと完全に一致させることができ、もって、容量互換を含め、両ディスク間の互換性を堅固に維持することができる。
【００６７】
また、交替処理ＯＮ／ＯＦＦ情報をＯＮに設定した場合には、再生専用ディスクのデータマッピングと同様のデータマッピングを維持しながら、当該データマッピングを阻害しない位置にスペアエリアを確保して、不良データブロックの交替記録を行うことができる。よって、再生専用ディスクとの互換性を維持しながら、不良再生の回避を図ることができる。
【００６８】
なお、このように交替処理ＯＮ／ＯＦＦ情報をＯＮに設定した場合には、スペアエリアが新たに設定されることから、厳密な意味では、再生専用ディスクとの間の容量互換が維持できないことになる。しかし、追記型ディスクの場合、全ての未記録領域がユーザデータの記録に使い尽くされることは稀であり、通常の利用形態では、一定の空き容量が残存することとなる。したがって、想定される残存容量をスペアエリアに利用したとしても、ユーザにとって不都合が生じることはなく、むしろ、上記の如く、ユーザのニーズに応じて、スペアエリアを確保し、交替記録を行った方が、ユーザの利便性に資することとなる。
【００６９】
このように、本実施例によれば、再生専用ディスクとの互換性を維持しながら、ユーザの利便性を向上させ得る記録再生装置を実現することができる。
【実施例２】
【００７０】
上記第１の実施例を改良した第２実施例について以下に説明する。
【００７１】
本実施例は、ディスクに残存する記憶容量（記憶可能容量）と、ディスクに記憶すべきデータ容量（記憶データ容量）をもとに、スペアエリアが確保可能かを判別し、確保可能な場合にスペアエリアに対する交替記録を行うものである。
【００７２】
図１３に、第２の実施例における、情報記録再生装置の記録／再生動作時のフローチャートを示す。
【００７３】
追記型ディスクが挿入されると、まず、交替の有無や交替に関する情報を含む交替処理情報、または交替元と交替先の関係を記録した欠陥管理リスト情報の有無が確認される（Ｓ３０）。本実施例では、交替がある場合には、欠陥管理リスト情報がリードイン領域とは別の領域に記録される。したがって、Ｓ３０では、当該領域に欠陥管理リスト情報が記録されているかが確認される。Ｓ３０において、欠陥管理リスト情報が記録されていることが確認されると、Ｓ３１にて、これが取得される。さらに、当該ディスクの記憶可能容量（空き容量）が取得される（Ｓ３２）。なお、記憶可能容量を取得するための情報は、ディスクのＰＭＡ領域に記録されている。その後、コントローラ１２０はコマンド受信待機状態となる（Ｓ３３）。
【００７４】
しかる後、コントローラ１２０が記録コマンドを受信すると（Ｓ３４）、ディスクに記憶すべき記憶データ容量を算出する（Ｓ３５）。次いで、交替処理情報または欠陥管理リスト情報の有無に応じて（Ｓ３６）、第３の記録処理（Ｓ３７）または第２の記録処理（Ｓ３８）の何れかを実行する（詳細は後述）。そして、それぞれの記録処理が終了すると、コントローラ１２０に記録処理の終了が通知される（Ｓ４２）。
【００７５】
一方、コントローラ１２０が再生コマンドを受信すると（Ｓ３４）、交替処理情報または欠陥管理リスト情報の有無に応じて（Ｓ３９）、第３の再生処理（Ｓ４２）または第４の再生処理（Ｓ４１）の何れかが実行される（詳細は後述する）。そして、それぞれの再生処理が終了すると、コントローラ１２０に再生処理の終了が通知される（Ｓ４２）。その後、再び記録可能容量の算出を行い（Ｓ３２）、コントローラ１２０は、コマンド受信待機状態となる（Ｓ３３）。
【００７６】
＜第３の記録処理＞
図１４および図１５は、図１３における第３の記録処理（Ｓ３７）における動作フローチャートを示す図である。ここでは、上記第１の実施例と同様、記録時における記録失敗やディスク欠陥によるデータ損失を想定して、所定数のデータブロックを記録する毎に、記録の適否を確認するためのべリファイが行われることを前提としている。かかるベリファイが行われない場合には、後述の再生処理において、記録データに対する再生確認および交替処理が行われることとなる。
【００７７】
なお、図１４および図１５に示すフローチャートのうち、図１４のＳ３００〜Ｓ３０７における処理は、上記第１の実施例における第１の記録処理のＳ１００〜Ｓ１０７における処理（図４参照）と同じである。したがって、交替処理対象のデータブロックの指定処理は、上記第１の実施例にて示した第１の記録処理と同じであり、ここではその説明を省略する。
【００７８】
図１４の処理フローに従って交替対象ブロックの指定がなされると、次に、図１５に示すフローチャートに従って、交替処理が実行される。
【００７９】
コントローラ１２０は、まず、交替処理ＯＮ／ＯＦＦ情報と交替対象ブロックの有無を確認し（Ｓ３１０、Ｓ３１１）、交替処理ＯＮ／ＯＦＦ情報がＯＮで、かつ、交替対象ブロックが有りの場合に、記録可能容量および記録データ容量に基づき、新たなスペアエリアが確保可能か否かを判別する（Ｓ３１２）。そして、新たなスペアエリアが確保できない場合には、エラーコードを生成し（Ｓ３１３）、第３の記録処理を終了する。他方、新たなスペアエリアが確保可能であると判断された場合には、交替対象ブロックを記録するための新たなスペアエリアを確保する（Ｓ３１４）。このとき、スペアアリアは、予め設定された記憶容量分だけ確保される。ただし、交替対象ブロックを記録できる容量以上に新たなスペアエリアを確保するようにしても良い。
【００８０】
次に、スペアエリアの容量が交替対象ブロックを記録するに足るか否かを確認し（Ｓ３１５）、スペアエリアの容量が足りなければ、記録可能容量および記録データ容量に基づき追加のスペアエリアが確保可能かどうかを判断する（Ｓ３１８）。ここで、追加のスペアエリアを確保できない場合には、エラーコードを生成し（Ｓ３１９）、第３の記録処理を終了する。他方、追加のスペアエリアが確保可能であると判断された場合には、追加のスペアエリアを確保する（Ｓ３２０）。この追加によりスペアエリアの容量が足りていれば（Ｓ３２１、Ｓ３１５）、スペアエリアに交替対象ブロックを記録し（Ｓ３１６）、交替処理情報または欠陥管理リスト情報を記録し（Ｓ３１７）、第３の記録処理を終了する。
【００８１】
Ｓ３２０におけるスペアエリアの追加によってもなおスペアエリアの容量が足りない場合には、Ｓ３１５からＳ３１８に戻り、再度、スペアエリア追加の処理を実行する。そして、スペアエリアの容量が足りていれば、スペアエリアに交替対象ブロックを記録し（Ｓ３１６）、交替処理情報または欠陥管理リスト情報を記録する（Ｓ３１７）。他方、スペアエリアを追加できなければ（Ｓ３１８：Ｎｏ）、エラーコードを生成し（Ｓ３１９）、第３の記録処理を終了する。
【００８２】
図１６は、上記第３の記録処理を行った場合における追記型ディスク上のデータマッピングの一例である。ディスク上には、同図（Ａ）に示すように、ＰＣＡが内周と外周に夫々設けられ、さらに、ＰＭＡが内周に設けられている。追記型ディスクが未記録状態である場合には、ディスクに交替処理情報または欠陥管理リスト情報が未だ記録されていないため、第３の記録処理が行われる。以下、交替処理ＯＮ／ＯＦＦ情報がＯＮである場合について説明を行う。
【００８３】
第１の記録処理が開始されると、まず、未記録領域に対して第１のリードインを記録するための領域を確保した後、それに引き続く位置から第１のユーザデータが記録される。上記の如く、記録データの再生確認時に再生不能または再生データブロックのエラー量が所定のエラー量を超えることが検知されると、記録可能容量または記録データ容量に基づき第１のスペアエリアと第１の欠陥管理リスト情報エリアを確保可能あるかが判別され、確保可能と判断された場合には、同図（Ｂ）に示すように、第１のリードアウトエリアが記録される位置を演算し、第１のリードアウトの外周位置に第１のスペアエリアを確保する。そして、交替対象ブロックを第１のスペアエリアに記録しつつ、第１のユーザデータの記録を続行する。
【００８４】
さらに、図１６（Ｃ）に示すように、第１のユーザデータを記録する際に、第１のスペアエリアを使い切ってしまった場合、または第１のスペアエリアにおける記録可能な残りのデータブロックが記録しようとする交替対象ブロックよりも少ない場合は、第１のスペアエリアに関する第１の欠陥管理リスト情報を第１のスペアエリアに続いて記録する。そして、記録可能容量および記録データ容量に基づき、追加のスペアエリアとして第２のスペアエリアおよび第２の欠陥管理リスト情報エリアが確保可能かを判別し、確保可能と判断された場合には、第１の欠陥管理リスト情報エリアに続いて第２のスペアエリアを確保する。
【００８５】
しかる後、交替対象ブロックのデータを第２のスペアエリアに記録しつつ、第１のユーザデータの記録を続行する。そして、第１のユーザデータの記録が終了すると、第２のスペアエリアに関する第２の欠陥管理リスト情報を第２のスペアエリアに続いて記録する。
【００８６】
その後、ファイナライズ処理がなされた場合には、図１６（Ｄ）に示すように、第１のリードアウトおよび第１のリードインが記録され、ファイナライズが完了する。但し、第１のスペアエリア、第１の欠陥管理リスト情報、第２のスペアエリアおよび第２の欠陥管理リスト情報は、第１のリードアウトエリアよりも外周であれば、それぞれ任意の位置に記録または確保可能であり、また、記録される並びは順不同であって良い。
【００８７】
＜第４の記録処理＞
図１７を参照して、上記図１３における第４の記録処理（Ｓ３８）における動作を説明する。なお、第４の記録処理のうち、交替対象ブロックを指定するまでの処理は、上記図１４の動作フローと同じであるので図示省略し、交替処理のみを図１７に示してある。また、図１７における各ステップのうち、上記図１５と同一ステップには同一符号を付してある。
【００８８】
なお、かかる第４の記録処理においても、上記第３の記録処理と同様、記録時における記録失敗やディスク欠陥によるデータ損失を想定して、所定数のデータブロックを記録する毎に、記録の適否を確認するためのべリファイが行われることを前提としている。かかるベリファイが行われない場合には、後述の再生処理において、記録データに対する再生確認および交替処理が行われることとなる。
【００８９】
第４の記録処理では、先の記録／再生処理において交替対象ブロックを記録するためのスペアエリアが既に確保されているため、Ｓ３１０およびＳ３１１にて、交替処理ＯＮ／ＯＦＦ情報がＯＮで、かつ、交替対象ブロックが有りとされた場合には、既に確保されているスペアエリアの容量が交替対象ブロックを記録するに足るか否かを確認する（Ｓ３３０，Ｓ３１５）。そして、スペアエリアの容量が足りなければ、記憶可能容量および記憶データ容量に基づき新規のスペアエリアが確保可能かを判別し（Ｓ３１８）、確保可能であれば追加のスペアエリアを新たに確保する（Ｓ３２０）。他方、追加のスペアエリアが確保可能でなければエラーコードを生成し（Ｓ３１９）、第４の記録処理を終了する。
【００９０】
Ｓ３１５にて、スペアエリアの容量が足りていれば、このスペアエリアに交替対象ブロックを記録し（Ｓ３１６）、交替処理情報または欠陥管理リスト情報を更新して（Ｓ３１７）、第４の記録処理を終了する。
【００９１】
図１８は、上記第４の記録処理を行った場合における追記型ディスク上のデータマッピングの一例を示す図である。ディスク上には、同図（Ａ）に示すように、ＰＣＡが内周と外周に夫々設けられ、また、ＰＭＡが内周に設けられている。さらに、先の記録／再生時の処理により、既に、第１のリードインエリア、第１のユーザデータエリア、第１のリードアウトエリア、第１のスペアエリア、欠陥管理リスト情報エリアが確保されている。加えて、欠陥管理リスト情報エリアの外周には、追加としてのＰＣＡが確保されている。この追記型ディスクに対し、マルチセッションにて、第２のユーザデータを記録する場合には、既に交代処理情報または欠陥管理リスト情報が記憶されているため、第４の記録処理が行われる。以下、交替処理ＯＮ／ＯＦＦ情報がＯＮである場合について説明を行う。
【００９２】
未記録領域に対して、第２のユーザデータが記録され、この記録データの再生確認時に再生不能または再生データブロックのエラー量が所定のエラー量を超えることが検知されると、第１のスペアエリアの記録可能容量が演算され、第１のスペアエリアの記録可能容量が記録しようとする交替対象ブロックよりも大きい場合には、同図（Ｂ）に示すように、交替対象ブロックを第１のスペアエリアの空き容量に記録しつつ、第２のユーザデータの記録を続行する。
【００９３】
かかる記録の際に、第１のスペアエリアを使い切ってしまった場合、または、第１のスペアエリアにおける記録可能容量が記録しようとする交替対象ブロックよりも少なくなった場合には、同図（Ｃ）に示すように、第２のリードアウトエリアが記録される位置を演算し、第２のリードアウトエリアの外周位置に、修正版欠陥管理リスト情報を記録する。ここで、修正板欠陥管理リスト情報とは、第１のスペアエリアの外周位置にある欠陥管理リスト情報に、第２のユーザデータ記録時に第１のスペアエリアの空き領域に交替記録したデータの欠陥管理リスト情報を追加したものである。
【００９４】
しかる後、コントローラ１２０は、記録可能容量および記録データ容量に基づき、追加のスペアエリアとして第２のスペアエリアおよび再修正版欠陥管理リスト情報エリアが確保可能か否かを判別し、確保可能であると判別した場合には、修正版欠陥管理リスト情報エリアに続いて第２のスペアエリアを確保する。そして、交替対象ブロックを第２のスペアエリアに記録しつつ、第２のユーザデータの記録を続行し、その後、第２のユーザデータの記録が終了すると、再修正版欠陥管理リスト情報を第２のスペアエリアに続いて記録する。ここで、再修正板欠陥管理リスト情報とは、上記修正板欠陥管理リスト情報に、第２のスペアエリアに交替記録したデータの欠陥管理リスト情報を追加したものである。
【００９５】
その後、ファイナライズ処理がなされると、同図（Ｄ）に示すように第２のリードアウトおよび第２のリードインが記録され、ファイナライズが完了する。但し、第２のスペアエリア、修正版欠陥管理リスト情報および再修正版欠陥管理リスト情報は、ユーザデータエリア外であればそれぞれ任意の位置に記録または確保可能であり、また、記録される並びは順不同であって良い。
【００９６】
＜第３の再生処理＞
図１９および図２０は、図１３における第３の再生処理（Ｓ４０）における動作フローチャートを示す図である。なお、図１９に示す処理ステップ（Ｓ４００〜Ｓ４０６）は、上記第１の実施例における図９の処理ステップ（Ｓ２００〜Ｓ２０６）と同じである。したがって、かかる第３の再生処理では、上記第１の実施例における第１の再生処理と同様にして、再生処理と、交替対象ブロックの指定処理が行われる。
【００９７】
また、図２０に示す処理ステップ（Ｓ４１０〜Ｓ４２１）は、上記第３の記録処理における図１５の処理ステップ（Ｓ３１０〜Ｓ３２１）と同じである。したがって、かかる第３の再生処理では、上記第３の記録処理と同様にして、交替対象ブロックをスペアエリアに交替記録する処理が行われる。よって、かかる第３の再生処理では、再生時に不良データブロックが検知されると、上記図１６において示したと同様、第１のスペアエリアが確保され、この第１のスペアエリアに適正データ（不良データブロックのデータを誤り訂正したもの）が交替記録されることとなる。そして、この第１のスペアエリアに関する欠陥管理リスト情報（第１の欠陥管理リスト情報）が記録され、さらに、第１のスペアエリアの容量が足らなくなると、新たに第２のスペアエリアが確保され、これに対する適正データの記録と、第２のスペアエリアに関する欠陥管理リスト情報（第２の欠陥管理リスト情報）の記録がなされる。
【００９８】
＜第４の再生処理＞
図２１および図２２は、上記図１３における第４の再生処理（Ｓ４１）における動作フローチャートを示す図である。
【００９９】
なお、かかる第４の再生処理は、既に、交替処理情報または欠陥管理リスト情報が追記型ディスクに記録されている場合に実行されるものである。したがって、図２１のフローチャートは、上記図１９のフローチャートに比べ、再生対象のデータブロックがスペアエリアに交替されているか否かを判別するステップ（Ｓ４３１）と、交替されている場合に、対応するスペアエリアを再生するステップ（Ｓ４３２）が追加されている。その他の処理（Ｓ４０１〜Ｓ４０６）は、上記図１９における処理と同じである。
【０１００】
また、図２２の処理ステップは、上記第４の記録処理において示した図１７の処理ステップと同じである。したがって、かかる第４の再生処理では、上記図１８において示したと同様、再生時に不良データブロックが検知されると、第１のスペアエリアに適正データ（不良データブロックのデータを誤り訂正したもの）が交替記録され、第１のスペアエリアの容量が足りない場合には、第２のスペアエリアが新たに確保されて、第１のスペアエリアおよび第２のスペアエリアに、不良データブロックに対する適正データが交替記録される。この際、上記図１８において示したと同様、修正版欠陥管理リスト情報と再修正版欠陥管理リスト情報が記録される。
【０１０１】
以上、本実施の形態によれば、ディスクに残存する記憶容量（記憶可能容量）と、ディスクに記憶すべきデータ容量（記憶データ容量）をもとに、スペアエリアが確保可能かを判別し、確保可能な場合にスペアエリアに対する交替記録を行うものであるから、上記第１の実施例における効果に加え、さらに、効率的かつ円滑なスペアエリアの確保を実現することができる。
【０１０２】
なお、本発明は上記実施の形態に限定されるものではなく、他に種々の変更が可能であることは言うまでもない。
【０１０３】
たとえば、上記図７および図８においては、第２のユーザデータを記録する際に交替対象処理ブロックが生じたとき、まず第１のスペアエリアに交替記録し、その後、第１のスペアエリアを使い尽くした後に、第２のスペアエリアを確保して、その後の交替対象ブロックを交替記録するようにしたが、第２のユーザデータを記録する際に交替対象処理ブロックが生じたことに応じて第２のスペアエリアを確保し、第２のユーザデータに関する交替対象ブロックは第２のスペアエリアに対し交替記録するようにしても良い。つまり、マルチセッションにてデータを記録する場合に、セッション毎にスペアエリアを確保するようにしてもよい。
【０１０４】
こうすると、各セッションのスペアエリアには空きエリアが生じることとなるが、反面、各セッションを再生したときに生じた交替対象ブロックを当該セッションのスペアエリアに記録することができるようになり、交替対象ブロックの記録管理を円滑に行うことができる。また、上記図７および図８においては、第１のリードインと第２のリードインを再生することによって、第１および第２のスペアエリアの空き領域を検知する必要があったが、セッション毎にスペアエリアが設けられている場合には、当該セッションのリードインのみを再生することによって当該セッションのスペアエリアの空き領域を検知することができ、処理動作の簡素化を図ることができる。
【０１０５】
なお、かかる場合においても、上記実施例２のように、ディスクに残存する記憶容量（記憶可能容量）と、ディスクに記憶すべきデータ容量（記憶データ容量）をもとに、スペアエリアが確保可能かを判別し、確保可能な場合にスペアエリアを確保するようにしてもよい。また、スペアエリアの確保は、上記実施の形態のように、ディスク最外周から順番に行うようにしてもよい。
【０１０６】
その他、本発明の実施の形態は、特許請求の範囲に示された技術的思想の範囲内において、適宜、種々の変更が可能である。
【図面の簡単な説明】
【０１０７】
【図１】実施の形態に係る光記録再生装置の構成を示す図
【図２】実施の形態に係る追記型光ディスクの構成を示す図
【図３】第１の実施例に係る記録再生処理フローを示す図
【図４】第１の記録処理における動作フローチャート
【図５】第１の記録処理における動作フローチャート
【図６】第１の記録処理により構成されるデータマッピングの状態を示す図
【図７】第２の記録処理における動作フローチャート
【図８】第２の記録処理により構成されるデータマッピングの状態を示す図
【図９】第１の再生処理における動作フローチャート
【図１０】第１の再生処理における動作フローチャート
【図１１】第２の再生処理における動作フローチャート
【図１２】第２の再生処理における動作フローチャート
【図１３】第２の実施例に係る記録再生処理フローを示す図
【図１４】第３の記録処理における動作フローチャート
【図１５】第３の記録処理における動作フローチャート
【図１６】第３の記録処理により構成されるデータマッピングの状態を示す図
【図１７】第４の記録処理における動作フローチャート
【図１８】第４の記録処理により構成されるデータマッピングの状態を示す図
【図１９】第３の再生処理における動作フローチャート
【図２０】第３の再生処理における動作フローチャート
【図２１】第４の再生処理における動作フローチャート
【図２２】第４の再生処理における動作フローチャート
【符号の説明】
【０１０８】
１００  追記型ディスク
１０１  ＥＣＣエンコーダ
１０２  変調回路
１０３  フォーマッタ
１０４  レーザ駆動回路
１０５  光ピックアップ
１０６  信号増幅器
１１０  Ａ／Ｄ変換回路
１１１  イコライザ
１１２  ビタビ復号回路
１１３  アンフォーマッタ
１１４  復調回路
１１５  ＥＣＣデコーダ
１２０  コントローラ
【図１】
2005135446.tif 000003
【図２】
2005135446.tif 000004
【図３】
2005135446.tif 000005
【図４】
2005135446.tif 000006
【図５】
2005135446.tif 000007
【図６】
2005135446.tif 000008
【図７】
2005135446.tif 000009
【図８】
2005135446.tif 000010
【図９】
2005135446.tif 000011
【図１０】
2005135446.tif 000012
【図１１】
2005135446.tif 000013
【図１２】
2005135446.tif 000014
【図１３】
2005135446.tif 000015
【図１４】
2005135446.tif 000016
【図１５】
2005135446.tif 000017
【図１６】
2005135446.tif 000018
【図１７】
2005135446.tif 000019
【図１８】
2005135446.tif 000020
【図１９】
2005135446.tif 000021
【図２０】
2005135446.tif 000022
【図２１】
2005135446.tif 000023
【図２２】
2005135446.tif 000024